(57)【要約】  ガス給湯器並びにその安全制御システム及び方法である。システムは、ガス給湯器の燃焼時に発生した排気ガスを排出する排気ファン（１０）と、排気ファン（１０）の回転速度を検出する回転速度検出ユニット（２０）と、排気ファン（１０）の出力電力所定値を取得する電力取得ユニット（３０）と、出力電力所定値に基づいて、排気ファン（１０）の回転速度の実際値と回転速度の基準値とを取得し、両者の差分を算出する回転速度差分取得ユニット（４０）と、排気ファン（１０）、回転速度検出ユニット（２０）、回転速度差分取得ユニット（４０）、及び電力取得ユニット（３０）に接続されるとともに、差分に基づいて、排気ファン（１０）の予め設定された吹出口風圧グラフを補正し、排気ファン（１０）の回転速度、補正された吹出口風圧グラフ、及び出力電力所定値に基づいて、排気ファン（１０）の吹出口の風圧状況を判断し、排気ファン（１０）の吹出口の風圧状況に基づいて、排気ファン（１０）の出力電力所定値を調節する排風制御ユニット（５０）と、を含む。当該システムは、ガス給湯器が良好な燃焼条件を有することを確保し、安全かつ確実に運転することを保証することができ、制御精度が高い。
2019529852.tif 000002
【特許請求の範囲】
【請求項１】
ガス給湯器の安全制御システムであって、
ガス給湯器の燃焼時に発生した排気ガスを排出する排気ファンと、
前記排気ファンの回転速度を検出する回転速度検出ユニットと、
前記排気ファンの出力電力所定値を取得する電力取得ユニットと、
前記排気ファンの出力電力所定値に基づいて、前記排気ファンの回転速度の実際値と前記排気ファンの回転速度の基準値とを取得し、前記回転速度の実際値と前記回転速度の基準値との差分を算出する回転速度差分取得ユニットと、
前記排気ファン、前記回転速度検出ユニット、前記回転速度差分取得ユニット、及び前記電力取得ユニットに接続されるとともに、前記差分に基づいて、前記出力電力所定値と複数の予め設定された回転速度との関係グラフである、前記排気ファンの予め設定された吹出口風圧グラフを補正し、前記排気ファンの回転速度、補正された前記吹出口風圧グラフ、及び前記排気ファンの出力電力所定値に基づいて、前記排気ファンの吹出口の風圧状況を判断し、前記排気ファンの吹出口の風圧状況に基づいて、前記排気ファンの出力電力所定値を調節する排風制御ユニットと、を含む、
ことを特徴とするガス給湯器の安全制御システム。
【請求項２】
前記排風制御ユニットが前記差分に基づいて前記排気ファンの予め設定された吹出口風圧グラフを補正するとき、
補正された吹出口風圧グラフは、前記出力電力所定値と、前記複数の予め設定された回転速度と前記差分との合計との関係グラフである、
ことを特徴とする請求項１に記載のガス給湯器の安全制御システム。
【請求項３】
前記排風制御ユニットが、前記排気ファンの回転速度、補正された吹出口風圧グラフ、及び前記排気ファンの出力電力所定値に基づいて、前記排気ファンの吹出口の風圧状況を判断し、前記排気ファンの吹出口の風圧状況に基づいて、前記排気ファンの出力電力所定値を調節するとき、
前記排風制御ユニットは、前記排気ファンの吹出口の風圧状況が低風圧状況であると判断した場合、前記排気ファンの出力電力所定値を第１の所定値だけ低減するように制御し、
前記排風制御ユニットは、前記排気ファンの吹出口の風圧状況が中風圧状況であると判断した場合、前記排気ファンの出力電力所定値をそのまま維持するように制御し、
前記排風制御ユニットは、前記排気ファンの吹出口の風圧状況が高風圧状況であると判断した場合、前記排気ファンの出力電力所定値を第２の所定値だけ増加するように制御する、
ことを特徴とする請求項２に記載のガス給湯器の安全制御システム。
【請求項４】
前記ガス給湯器の安全制御システムは、前記排風制御ユニットと互いに通信するシステム制御ユニットをさらに含み、
前記排風制御ユニットが前記排気ファンの吹出口の風圧状況が最高風圧状況であると判断した場合、又は前記排気ファンの回転速度が回転速度閾値より高い場合、前記排風制御ユニットは、停止信号を前記システム制御ユニットに送信して、前記システム制御ユニットが前記停止信号に基づいて、前記ガス給湯器を停止するように制御する、
ことを特徴とする請求項１〜３のいずれかに記載のガス給湯器の安全制御システム。
【請求項５】
前記ガス給湯器の安全制御システムは、
前記システム制御ユニットに接続される給水ユニットと、
前記システム制御ユニットに接続されるとともに、前記ガス給湯器の給湯設定温度と前記ガス給湯器の冷水温度とを取得するための温度取得ユニットと、をさらに含み、
前記システム制御ユニットは、前記給水ユニットの給水量、前記給湯設定温度、及び前記冷水温度に基づいて、前記ガス給湯器が必要とする総熱量を算出し、前記ガス給湯器が必要とする総熱量に基づいて、電流制御命令と、前記排気ファンの初期出力電力所定値とを取得する、
ことを特徴とする請求項４に記載のガス給湯器の安全制御システム。
【請求項６】
前記ガス給湯器の安全制御システムは、前記システム制御ユニットに接続されるとともに、比例弁を有する燃料ガスユニットをさらに含み、
前記システム制御ユニットは、前記電流制御命令に基づいて、前記比例弁を制御することにより、前記燃料ガスユニットを制御する、
ことを特徴とする請求項５に記載のガス給湯器の安全制御システム。
【請求項７】
前記ガス給湯器は、強制排気式ガス給湯器である、
ことを特徴とする請求項１に記載のガス給湯器の安全制御システム。
【請求項８】
請求項１〜７のいずれか一項に記載のガス給湯器の安全制御システムを含む、
ことを特徴とするガス給湯器。
【請求項９】
ガス給湯器の安全制御方法であって、
排気ファンの出力電力所定値と、対応する回転速度の基準値とを取得するステップと、
前記排気ファンの出力電力所定値に基づいて、前記排気ファンの回転速度の実際値を取得し、前記回転速度の実際値と前記回転速度の基準値との差分を算出するステップと、
前記差分に基づいて、前記出力電力所定値と複数の予め設定された回転速度との関係グラフである、前記排気ファンの予め設定された吹出口風圧グラフを補正するステップと、
前記ガス給湯器における排気ファンの回転速度を検出するステップと、
前記排気ファンの回転速度、補正された吹出口風圧グラフ、及び前記排気ファンの出力電力所定値に基づいて、前記排気ファンの吹出口の風圧状況を判断し、前記排気ファンの吹出口の風圧状況に基づいて、前記排気ファンの出力電力所定値を調節するステップと、を含む、
ことを特徴とするガス給湯器の安全制御方法。
【請求項１０】
前記差分に基づいて、前記排気ファンの予め設定された吹出口風圧グラフを補正するとき、
補正された吹出口風圧グラフは、前記出力電力所定値と、前記複数の予め設定された回転速度と前記差分との合計との関係グラフである、
ことを特徴とする請求項９に記載のガス給湯器の安全制御方法。
【請求項１１】
前記排気ファンの回転速度、補正された吹出口風圧グラフ、及び前記排気ファンの出力電力所定値に基づいて、前記排気ファンの吹出口の風圧状況を判断し、前記排気ファンの吹出口の風圧状況に基づいて、前記排気ファンの出力電力所定値を調節するステップは、
前記排気ファンの吹出口の風圧状況が低風圧状況であると判断された場合、前記排気ファンの出力電力所定値を第１の所定値だけ低減するように制御するステップと、
前記排気ファンの吹出口の風圧状況が中風圧状況であると判断された場合、前記排気ファンの出力電力所定値をそのまま維持するように制御するステップと、
前記排気ファンの吹出口の風圧状況が高風圧状況であると判断された場合、前記排気ファンの出力電力所定値を第２の所定値だけ増加するように制御するステップと、を含む、
ことを特徴とする請求項１０に記載のガス給湯器の安全制御方法。
【請求項１２】
前記排気ファンの回転速度、補正された吹出口風圧グラフ、及び前記排気ファンの出力電力所定値に基づいて、前記排気ファンの吹出口の風圧状況を判断し、前記排気ファンの吹出口の風圧状況に基づいて、前記排気ファンの出力電力所定値を調節するステップは、
前記排気ファンの吹出口の風圧状況が最高風圧状況であると判断された場合、又は前記排気ファンの回転速度が回転速度閾値より高い場合、前記ガス給湯器を停止するように制御するステップをさらに含む、
ことを特徴とする請求項９〜１１のいずれか一項に記載のガス給湯器の安全制御方法。
【請求項１３】
前記ガス給湯器の安全制御方法は、
前記ガス給湯器の給水量、前記ガス給湯器の給湯設定温度、及び前記ガス給湯器の冷水温度を取得するステップと、
前記給水量、前記給湯設定温度、及び前記冷水温度に基づいて、前記ガス給湯器が必要とする総熱量を算出し、前記ガス給湯器が必要とする総熱量に基づいて、電流制御命令と、前記排気ファンの初期出力電力所定値とを取得するステップと、
前記電流制御命令に基づいて、前記ガス給湯器における燃料ガスユニットの比例弁を制御することにより、燃焼制御を行うステップと、をさらに含む、
ことを特徴とする請求項９に記載のガス給湯器の安全制御方法。
【発明の詳細な説明】
【技術分野】
【０００１】
本発明は、給湯器の技術分野に関し、特に、ガス給湯器並びにその安全制御システム及び方法に関する。
【背景技術】
【０００２】
現在、市場でよく見られるガス給湯器は、Ｄ型（自然排気式）、Ｑ型（強制排気式）、Ｐ型(自然給排気)、Ｇ型(強制給排気)、及びＷ型（屋外設置式）などを含む。燃焼時の排気ガスを強制的に排出して、残留ガスの爆発等などの状況の発生を防止するために、Ｑ型及びＧ型のガス給湯器内に排気ファンが直接装備されている。
【０００３】
関連技術において、Ｑ型ガス給湯器は、風圧検出ユニットを用いて吹出口の風圧を検出することが多く、その後、検出された風圧に基づいて、排気ファン及び点火ユニットを制御しすることにより、ガス給湯器が正常に作動できることを保証する。風圧検出ユニットを用いることにより、風圧逆流の場合のガス給湯器の燃焼運転を回避することができるが、当該装置のコストが比較的高く、わずかな風圧によるガス給湯器の運転停止を招きやすく、ユーザが正常に使用できなくなる。
【発明の概要】
【発明が解決しようとする課題】
【０００４】
本発明は、関連技術における少なくとも１つの技術的課題をある程度解決することを目的とする。
【０００５】
そのため、本発明の１つ目の目的は、ガス給湯器が良好な燃焼条件を有することを確保し、ガス給湯器が安全かつ確実に運転することを保証することができるとともに、応答速度が速く、比較的正確な風量を提供することができ、制御精度を向上させるガス給湯器の安全制御システムを提供することである。
【０００６】
本発明の２つ目の目的は、ガス給湯器を提供することである。
【０００７】
本発明の３つ目の目的は、ガス給湯器の安全制御方法を提供することである。
【課題を解決するための手段】
【０００８】
上記目的を実現するために、本発明の第１の態様の実施例は、ガス給湯器の燃焼時に発生した排気ガスを排出する排気ファンと、前記排気ファンの回転速度を検出する回転速度検出ユニットと、前記排気ファンの出力電力所定値を取得する電力取得ユニットと、前記排気ファンの出力電力所定値に基づいて、前記排気ファンの回転速度の実際値と前記排気ファンの回転速度の基準値とを取得し、前記回転速度の実際値と前記回転速度の基準値との差分を算出する回転速度差分取得ユニットと、前記排気ファン、前記回転速度検出ユニット、前記回転速度差分取得ユニット、及び前記電力取得ユニットに接続され、前記差分に基づいて、前記出力電力所定値と複数の予め設定された回転速度との関係グラフである、前記排気ファンの予め設定された吹出口風圧グラフを補正し、前記排気ファンの回転速度、補正された前記吹出口風圧グラフ及び前記排気ファンの出力電力所定値に基づいて、前記排気ファンの吹出口の風圧状況を判断し、前記排気ファンの吹出口の風圧状況に基づいて、前記排気ファンの出力電力所定値を調節する排風制御ユニットと、を含むガス給湯器の安全制御システムを提供する。
【０００９】
本発明の実施例に係るガス給湯器の安全制御システムは、まず、電力取得ユニットによって排気ファンの出力電力所定値を取得し、回転速度差分取得ユニットによって排気ファンの出力電力所定値に基づいて排気ファンの回転速度の実際値と回転速度の基準値とを取得し、回転速度の実際値と回転速度の基準値との差分を算出し、その後、排風制御ユニットは、回転速度の実際値と回転速度の基準値との差分に基づいて、排気ファンの予め設定された吹出口風圧グラフを補正し、排気ファンの回転速度、補正された吹出口風圧グラフ及び排気ファンの出力電力所定値に基づいて、排気ファンの吹出口の風圧状況を判断し、排気ファンの吹出口の風圧状況に基づいて、排気ファンの出力電力所定値を調節し、これにより、排気ファンの風量の調節を実現し、ガス給湯器の運転中に、導入された燃料ガスと空気とが混合した後、良好な燃焼条件に達せることを確保し、ガス給湯器の安全かつ確実な運転を保証する。また、また排気ファンの出力電力所定値に対する直接な調節は、能動的な制御であり、排気ファンの回転速度に対する受動的な制御と比較すると、応答速度が速いだけではなく、比較的正確な風量を提供することもでき、制御精度が向上する。
【００１０】
なお、本発明の上記実施例に係るガス給湯器の安全制御システムは、下記のような付加的な技術的特徴をさらに有することができる。
【００１１】
本発明の一実施例によれば、前記排風制御ユニットが前記差分に基づいて前記排気ファンの予め設定された吹出口風圧グラフを補正するとき、補正された吹出口風圧グラフは、前記出力電力所定値と、前記複数の予め設定された回転速度と前記差分との合計との関係グラフである。
【００１２】
本発明の一実施例によれば、前記排風制御ユニットが、前記排気ファンの回転速度、補正された吹出口風圧グラフ、及び前記排気ファンの出力電力所定値に基づいて、前記排気ファンの吹出口の風圧状況を判断し、前記排気ファンの吹出口の風圧状況に基づいて、前記排気ファンの出力電力所定値を調節するとき、前記排風制御ユニットは、前記排気ファンの吹出口の風圧状況が低風圧状況であると判断した場合、前記排気ファンの出力電力所定値を第１の所定値だけ低減するように制御し、前記排風制御ユニットは、前記排気ファンの吹出口の風圧状況が中風圧状況であると判断した場合、前記排気ファンの出力電力所定値をそのまま維持するように制御し、前記排風制御ユニットは、前記排気ファンの吹出口の風圧状況が高風圧状況であると判断した場合、前記排気ファンの出力電力所定値を第２の所定値だけ増加するように制御する。
【００１３】
本発明の一実施例によれば、上記のガス給湯器の安全制御システムは、前記排風制御ユニットと互いに通信するシステム制御ユニットをさらに含み、前記排風制御ユニットが前記排気ファンの吹出口の風圧状況が最高風圧状況であると判断した場合、又は前記排気ファンの回転速度が回転速度閾値より高い場合、前記排風制御ユニットは、停止信号を前記システム制御ユニットに送信して、前記システム制御ユニットが前記停止信号に基づいて、前記ガス給湯器を停止するように制御する。
【００１４】
本発明の一実施例によれば、上記のガス給湯器の安全制御システムは、前記システム制御ユニットに接続される給水ユニットと、前記システム制御ユニットに接続されるとともに、前記ガス給湯器の給湯設定温度と前記ガス給湯器の冷水温度とを取得するための温度取得ユニットと、をさらに含み、前記システム制御ユニットは、前記給水ユニットの給水量、前記給湯設定温度、及び前記冷水温度に基づいて、前記ガス給湯器が必要とする総熱量を算出し、前記ガス給湯器が必要とする総熱量に基づいて、電流制御命令と前記排気ファンの初期出力電力所定値とを取得する。
【００１５】
本発明の一実施例によれば、上記のガス給湯器の安全制御システムは、前記システム制御ユニットに接続されるとともに、比例弁を有する燃料ガスユニットをさらに含み、前記システム制御ユニットは、前記電流制御命令に基づいて、前記比例弁を制御することにより、前記燃料ガスユニットを制御する。
【００１６】
本発明の一実施例によれば、前記ガス給湯器は、強制排気式ガス給湯器である。
【００１７】
上記目的を実現するために、本発明の第２の態様の実施例は、上記のガス給湯器の安全制御システムを含むガス給湯器を提供する。
【００１８】
本発明の実施例のガス給湯器は、上記安全制御システムによって、排気ファンの回転速度の実際値と回転速度の基準値との差分に基づいて、排気ファンの予め設定された吹出口風圧グラフを補正することができ、排気ファンの回転速度、補正された吹出口風圧グラフ、及び排気ファンの出力電力所定値に基づいて、排気ファンの吹出口の風圧状況を判断し、排気ファンの吹出口の風圧状況に基づいて、排気ファンの出力電力所定値を調節し、これにより、排気ファンの風量の調節を実現し、ガス給湯器の運転中に、導入された燃料ガスと空気とが混合した後、良好な燃焼条件に達せることを確保し、ガス給湯器の安全かつ確実な運転を保証する。また、排気ファンの出力電力所定値に対する直接な調節は、能動的な制御であり、排気ファンの回転速度に対する受動的な制御と比較すると、応答速度が速いだけではなく、比較的正確な風量を提供することもでき、制御精度が向上する。
【００１９】
上記目的を実現するために、本発明の第３の態様の実施例は、前記排気ファンの出力電力所定値と、対応する回転速度の基準値とを取得するステップと、前記排気ファンの出力電力所定値に基づいて、前記排気ファンの回転速度の実際値を取得し、前記回転速度の実際値と前記回転速度の基準値との差分を算出するステップと、前記差分に基づいて、前記出力電力所定値と複数の予め設定された回転速度との関係グラフである、前記排気ファンの予め設定された吹出口風圧グラフを補正し、前記予め設定された吹出口風圧グラフが前記出力電力所定値と複数の予め設定された回転速度との関係グラフであるステップと、前記ガス給湯器における排気ファンの回転速度を検出するステップと、前記排気ファンの回転速度、補正された吹出口風圧グラフ、及び前記排気ファンの出力電力所定値に基づいて、前記排気ファンの吹出口の風圧状況を判断し、前記排気ファンの吹出口の風圧状況に基づいて、前記排気ファンの出力電力所定値を調節するステップと、を含むガス給湯器の安全制御方法を提供する。
【００２０】
本発明の実施例に係るガス給湯器の安全制御方法は、まず、排気ファンの出力電力所定値と、対応する回転速度の基準値とを取得し、排気ファンの出力電力所定値に基づいて、排気ファンの回転速度の実際値と回転速度の基準値とを取得し、回転速度の実際値と回転速度の基準値との差分を算出し、前記差分に基づいて、排気ファンの予め設定された吹出口風圧グラフを補正し、その後、排気ファンの回転速度を検出し、排気ファンの回転速度、補正された吹出口風圧グラフ、及び排気ファンの出力電力所定値に基づいて、排気ファンの吹出口の風圧状況を判断し、排気ファンの吹出口の風圧状況に基づいて、排気ファンの出力電力所定値を調節し、これにより、排気ファンの風量の調節を実現し、ガス給湯器の運転中に、導入された燃料ガスと空気とが混合した後、良好な燃焼条件に達せることを確保し、ガス給湯器の安全かつ確実な運転を保証する。また、排気ファンの出力電力所定値に対する直接な調節は、能動的な制御であり、排気ファンの回転速度に対する受動的な制御と比較すると、応答速度が速いだけではなく、比較的正確な風量を提供することもでき、制御精度が向上する。
【００２１】
なお、本発明の上記実施例のガス給湯器の安全制御方法は、下記のような付加的な技術的特徴をさらに有することができる。
【００２２】
本発明の一実施例によれば、前記差分に基づいて、前記排気ファンの予め設定された吹出口風圧グラフを補正するとき、補正された吹出口風圧グラフは、前記出力電力所定値と、前記複数の予め設定された回転速度と前記差分との合計との関係グラフである。
【００２３】
本発明の一実施例によれば、前記排気ファンの回転速度、補正された吹出口風圧グラフ、及び前記排気ファンの出力電力所定値に基づいて、前記排気ファンの吹出口の風圧状況を判断し、前記排気ファンの吹出口の風圧状況に基づいて、前記排気ファンの出力電力所定値を調節するステップは、前記排気ファンの吹出口の風圧状況が低風圧状況であると判断された場合、前記排気ファンの出力電力所定値を第１の所定値だけ低減するように制御するステップと、前記排気ファンの吹出口の風圧状況が中風圧状況であると判断された場合、前記排気ファンの出力電力所定値をそのまま維持するように制御するステップと、前記排気ファンの吹出口の風圧状況が高風圧状況であると判断された場合、前記排気ファンの出力電力所定値を第２の所定値だけ増加するように制御するステップと、を含む。
【００２４】
本発明の一実施例によれば、前記排気ファンの回転速度、補正された吹出口風圧グラフ、及び前記排気ファンの出力電力所定値に基づいて、前記排気ファンの吹出口の風圧状況を判断し、前記排気ファンの吹出口の風圧状況に基づいて、前記排気ファンの出力電力所定値を調節するステップは、前記排気ファンの吹出口の風圧状況が最高風圧状況であると判断された場合、又は前記排気ファンの回転速度が回転速度閾値より高い場合、前記ガス給湯器を停止するように制御するステップをさらに含む。
【００２５】
本発明の一実施例によれば、上記ガス給湯器の安全制御方法は、前記ガス給湯器の給水量、前記ガス給湯器の給湯設定温度、及び前記ガス給湯器の冷水温度を取得するステップと、前記給水量、前記給湯設定温度、及び前記冷水温度に基づいて、前記ガス給湯器が必要とする総熱量を算出し、前記ガス給湯器が必要とする総熱量に基づいて、電流制御命令と、前記排気ファンの初期出力電力所定値とを取得するステップと、前記電流制御命令に基づいて、前記ガス給湯器における燃料ガスユニットの比例弁を制御することにより、燃焼制御を行うステップと、をさらに含む。
【図面の簡単な説明】
【００２６】
【図１】本発明の一実施例に係るガス給湯器の安全制御システムのブロック図である。
【図２】本発明の一実施例に係る排気ファンの出力電力所定値と排気ファンの回転速度との関係グラフである。
【図３】本発明の他の一実施例に係るガス給湯器の安全制御システムのブロック図である。
【図４】本発明の一実施例に係るガス給湯器が必要とする総熱量と、比例弁の制御量及び排気ファンの出力電力所定値との関係グラフである。
【図５】本発明の一実施例に係る排気ファンの出力電力所定値と、排気ファンの回転速度の実際値及び排気ファンの回転速度の基準値との関係グラフである。
【図６】本発明の実施例に係るガス給湯器の安全制御方法のフローチャートである。
【発明を実施するための形態】
【００２７】
以下、本発明の実施例を詳細に説明する。前記実施例における例が図面に示され、同一または類似する符号は、常に同一または類似する部品、或いは、同一または類似する機能を有する部品を表す。以下に、図面を参照しながら説明される実施例は例示的なものであり、本発明を解釈することを旨とし、本発明を限定するものと理解してはいけない。
【００２８】
以下、附図を参照して本発明の実施例によって提供されるガス給湯器並びにその安全制御システム及び方法を説明する。
【００２９】
図１は、本発明の一実施例に係るガス給湯器の安全制御システムのブロック図である。図１に示すように、当該ガス給湯器の安全制御システムは、排気ファン１０と、回転速度検出ユニット２０と、電力取得ユニット３０と、回転速度差分取得ユニット４０と、排風制御ユニット５０と、を含む。
【００３０】
排気ファン１０は、ガス給湯器の燃焼時に発生した排気ガスを排出する。回転速度検出ユニット２０は、排気ファンの回転速度を検出する。電力取得ユニット３０は、排気ファンの出力電力所定値を取得する。回転速度差分取得ユニット４０は、排気ファンの出力電力所定値に基づいて、排気ファンの回転速度の実際値と排気ファンの回転速度の基準値とを取得し、回転速度の実際値と回転速度の基準値との差分を算出する。排風制御ユニット５０は、排気ファン１０、回転速度検出ユニット２０、電力取得ユニット３０、及び回転速度差分取得ユニット４０に接続され、排気ファン１０の回転速度の実際値と回転速度の基準値との差分に基づいて、排気ファン１０の予め設定された吹出口風圧グラフを補正し、排気ファン１０の回転速度、補正された吹出口風圧グラフ、及び排気ファン１０の出力電力所定値に基づいて、排気ファン１０の吹出口の風圧状況を判断し、排気ファンの吹出口の風圧状況に基づいて、排気ファン１０の出力電力所定値を調節する。予め設定された吹出口風圧グラフは、出力電力所定値と複数の予め設定された回転速度との関係グラフである。
【００３１】
具体的には、ガス給湯器の初回作動中に、まず、電力取得ユニット３０によって排気ファン１０の電力出力の所定値を取得し、基準条件で、サンプリング比較プログラムを実行し、すなわち、回転速度差分取得ユニット４０によって、排気ファン１０の電力出力の所定値に基づいて、対応する回転速度の実際値を取得し、回転速度の実際値と回転速度の基準値との差分を算出し、排風制御ユニット５０は、回転速度の実際値と回転速度の基準値との差分に基づいて、排気ファン１０の予め設定された吹出口風圧グラフを補正し、当該予め設定された吹出口風圧グラフは、出力電力所定値と複数の予め設定された回転速度（例えば、３つの予め設定された回転速度）との関係グラフである。回転速度検出ユニット２０によって、排気ファン１０の回転速度をリアルタイムで検出し、排気ファン１０の補正された吹出口風圧グラフ及び排気ファン１０の現在の出力電力所定値に基づいて、排気ファン１０の吹出口の風圧状況を判断し、その後、吹出口の風圧状況に基づいて、排気ファン１０の出力電力所定値を調節し、これにより、排気ファン１０の風量の調節を実現し、ガス給湯器の運転中に、導入された燃料ガスと空気とが混合した後、良好な燃焼条件に達せることを確保し、ガス給湯器の安全かつ確実な運転を保証する。また、排気ファンの出力電力所定値に対する直接な調節は、能動的な制御であり、排気ファンの回転速度に対する受動的な制御と比較すると、応答速度が速いだけではなく、比較的正確な風量を提供することもでき、制御精度が向上し、それにシステム全体のコストが比較的低い。
【００３２】
なお、上記回転速度の実際値と回転速度の基準値との差分を算出するための排気ファン１０の電力出力の所定値と、吹出口の風圧状況を判定するための出力電力所定値とは、同じ値でなくてもよく、吹出口の風圧状況を判定するための出力電力所定値と、調節用の出力電力所定値とは、同じ値である。
【００３３】
本発明の一実施例において、排風制御ユニット５０が、回転速度の実際値と回転速度の基準値との差分に基づいて、排気ファン１０の予め設定された吹出口風圧グラフを補正するとき、補正された吹出口風圧グラフは、出力電力所定値と、複数の予め設定された回転速度と上記差分との合計との関係グラフである。
【００３４】
さらに、排風制御ユニット５０が、排気ファン１０の回転速度、補正された吹出口風圧グラフ及び排気ファン１０の出力電力所定値に基づいて、排気ファン１０の吹出口の風圧状況を判断し、排気ファン１０の吹出口の風圧状況に基づいて、排気ファン１０の出力電力所定値を調節するとき、排風制御ユニット５０は、排気ファン１０の吹出口の風圧状況が低風圧状況であると判断した場合、排気ファン１０の出力電力所定値を第１の所定値だけ低減するように制御し、排風制御ユニット５０は、排気ファン１０の吹出口の風圧状況が中風圧状況であると判断した場合、排気ファン１０の出力電力所定値をそのまま維持するように制御し、排風制御ユニット４０は、排気ファン１０の吹出口の風圧状況が高風圧状況であると判断した場合、排気ファン１０の出力電力所定値を第２の所定値だけ増加するように制御する。第１の所定値及び第２の所定値を実際の状況に応じてキャリブレーションすることができ、第１の所定値及び第２の所定値は、一定の値であってもよいし、実際の状況に応じて動的に調整されてもよい。
【００３５】
具体的には、図２に示すように、排気ファン１０のある出力電力所定値において、排気ファン１０の回転速度Ｒが第１のグラフＲ１＋ｄｎの下方（領域Ｉ）に位置する場合、排気ファン１０の吹出口の風圧が比較的低いことを表し、この場合、排風制御ユニット５０は、排気ファン１０の出力電力を低減するために、排気ファン１０の出力電力所定値を第１の所定値だけ低減するように制御し、すなわち、出力電力所定値Ｐ＝Ｐ−△Ｐ１となる。排気ファン１０の回転速度Ｒが第１のグラフＲ１＋ｄｎの上方に位置し、かつ、第２のグラフＲ２＋ｄｎの下方に位置する（領域ＩＩ）場合、排気ファン１０の吹出口の風圧と排気ファン１０の回転速度とが比較的釣り合っていることを表し、風圧が増加するとき、排気ファンの物理的特性によって、排気ファン１０が自然に回転速度を上げるので、排気ファン１０の出力電力所定値を調節する必要がない。排気ファン１０の回転速度Ｒが第２のグラフＲ２＋ｄｎの上方に位置し、かつ、第３のグラフＲ３＋ｄｎの下方（領域ＩＩＩ）に位置する場合、排気ファン１０の吹出口の風圧が比較的高いことを表し、この場合、排風制御ユニット５０は、排気ファン１０の出力電力を上げるために、排気ファン１０の出力電力所定値を第２の所定値だけ増加するように制御し、すなわち、出力電力所定値Ｐ＝Ｐ＋△Ｐ２となる。ｄｎは、排気ファン１０の回転速度の実際値と回転速度の基準値との差分であり、ガス給湯器が量産されるとき、排気ファンの部品及びシステム全体に若干の性能上の差異が存在し、当該差異は、ガス給湯器制御の正確性に影響する可能性があるので、排気ファン１０の回転速度の実際値と回転速度の基準値との差分によって、排気ファン回転速度グラフ（すなわち、排気ファンの予め設定された吹出口風圧グラフ）を差異補正することができる。
【００３６】
つまり、排気ファン１０の出力電力所定値がＰ１である場合、検出された排気ファン１０の回転速度がＲ＜Ｃであると、排気ファン１０の出力電力所定値をＰ１−△Ｐ１に調整する。Ｃ≦Ｒ＜Ｂであると、排気ファン１０の出力電力所定値は、Ｐ１のままに維持される。Ｂ≦Ｒ＜Ａであると、排気ファン１０の出力電力所定値をＰ１＋△Ｐ２に調整して、排気ファンの回転速度に対する能動的な制御を実現し、排気ファンの風量と吹出口の風圧とが迅速に均衡に達せることを保証し、ガス給湯器が良好な燃焼条件を有することを保証する。
【００３７】
なお、図２に示される出力電力所定値と第１のグラフＲ１＋ｄｎ、第２のグラフＲ２＋ｄｎ及び第３のグラフＲ３＋ｄｎとの関係は、補正された吹出口風圧グラフであり、Ｒ１、Ｒ２、Ｒ３は、すなわち、複数の予め設定された回転速度であり、Ｒ１、Ｒ２、Ｒ３は、いずれも排気ファン１０の吹出口の風圧状況を判断するための予め設定され、記憶された回転速度値である。
【００３８】
なお、ガス給湯器が初回作動するときのみ、排気ファン１０の予め設定された吹出口風圧グラフを補正することができ、これにより、ガス給湯器の安全制御時間を減少させ、エネルギー消費を低減することができる。
【００３９】
本発明の一実施例によれば、図３に示すように、上記ガス給湯器の安全制御システムは、システム制御ユニット６０をさらに含む。システム制御ユニット６０は、排風制御ユニット５０と互いに通信し、排風制御ユニット５０が排気ファン１０の吹出口の風圧状況が最高風圧状況であるか、又は排気ファン１０の回転速度が回転速度閾値より高いと判断した場合、排風制御ユニット５０は、停止信号をシステム制御ユニット６０に送信して、システム制御ユニット６０が停止信号に基づいて、ガス給湯器を停止するように制御する。
【００４０】
具体的には、図２に示すように、排気ファン１０のある出力電力所定値において、排気ファン１０の回転速度Ｒが第３のグラフＲ３＋ｄｎの上方（領域ＩＶ）に位置する場合、排気ファン１０の吹出口の風圧が高すぎることを表し、この場合、ガス給湯器を停止するように制御する必要がある。例えば、排気ファン１０の出力電力所定値がＰ１であるとき、排気ファン１０の回転速度がＲ≧Ａの場合、ガス給湯器を停止するように制御し、又は、現在の排気ファン１０の回転速度が設定された回転速度閾値（上限回転速度）より高い場合、ガス給湯器を停止するように制御して、ガス給湯器の安全性を効果的に保証する。
【００４１】
本発明の一実施例によれば、図３に示すように、上記ガス給湯器の安全制御システムは、給水ユニット７０と、温度取得ユニット（具体的に図示せず）と、をさらに含む。給水ユニット７０は、システム制御ユニット６０に接続され、温度取得ユニットは、システム制御ユニット６０に接続され、温度取得ユニットは、ガス給湯器の給湯設定温度及びガス給湯器の冷水温度を取得するためのものであり、システム制御ユニット６０は、給水ユニット７０の給水量、給湯設定温度及び冷水温度に基づいて、ガス給湯器が必要とする総熱量を算出し、ガス給湯器が必要とする総熱量に基づいて、電流制御命令と、排気ファン１０の初期出力電力所定値とを取得する。
【００４２】
さらに、図３に示すように、上記ガス給湯器の安全制御システムは、燃料ガスユニット８０をさらに含む。燃料ガスユニット８０は、システム制御ユニット６０に接続され、燃料ガスユニット８０は、比例弁（具体的に図示せず）を有し、システム制御ユニット６０は、電流制御命令に基づいて、比例弁を制御することにより、燃料ガスユニット８０を制御する。
【００４３】
具体的には、ガス給湯器が通電されて作動した後、システム制御ユニット６０は、まず、ユーザによって設定されたガス給湯器の給湯設定温度、給水ユニット７０の給水量及び冷水温度に基づいて、ガス給湯器が冷水を給湯設定温度に加熱するのに要する総熱量を算出し、その後、図４に示すように、システム制御ユニット６０は、ガス給湯器が必要とする総熱量に基づいて、初期出力電力所定値として、燃料ガスユニット８０における比例弁の制御量（すなわち、電流制御命令）と、排気ファン１０の出力電力所定値とを取得する。最後、システム制御ユニット５０は、取得された比例弁の制御量に基づいて、比例弁を制御することにより、燃料ガスユニット８０を制御し、初期出力電力所定値をＣＡＮバスなどを介して排風制御ユニット５０に送信する。なお、図５に示すように、ガス給湯器の生産段階又は初回運転するとき、排気ファン１０の出力電力所定値に基づいて、排気ファン１０の回転速度の基準値を取得し、サンプリング比較プログラムを実行し、すなわち、出力電力所定値に対応する排気ファン１０の回転速度の実際値を検出して、回転速度の実際値と回転速度の基準値との差分を取得することができ、排気ファン制御ユニットは、当該差分に基づいて、排気ファンの予め設定された吹出口風圧グラフを補正することができる。
【００４４】
なお、ガス給湯器が必要とする総熱量に基づいて取得された排気ファンの出力電力所定値は、吹出口の風圧状況を判定するための出力電力所定値及び調節用の出力電力所定値である。
【００４５】
排風制御ユニット５０は、排気ファン１０の吹出口風圧グラフを補正した後、初期出力電力所定値を受信し、初期出力電力所定値に基づいて、排気ファン１０を制御するとともに、回転速度検出ユニット３０によって、排気ファン１０の回転速度をリアルタイムで検出する。検出された排気ファン１０の回転速度が補正された吹出口風圧グラフの領域Ｉに位置する場合、排気ファン１０の出力電力所定値Ｐ＝Ｐ初期−△Ｐ１となり、Ｐ初期は、初期出力電力所定値である。検出された排気ファン１０の回転速度が領域ＩＩに位置する場合、排気ファン１０の出力電力所定値Ｐ＝Ｐ初期となる。検出された排気ファン１０の回転速度が領域ＩＩＩに位置する場合、排気ファン１０の出力電力所定値Ｐ＝Ｐ初期＋△Ｐ２となる。ある出力電力所定値において、排気ファン１０の回転速度が領域ＩＶに位置するか、又は排気ファン１０の回転速度が回転速度閾値より高いか、又はユーザ制御停止命令を受信し、ガス給湯器を停止するように制御するまで、上記ステップを繰り返していく。
【００４６】
ガス給湯器の運転中に、給湯設定温度が変更される場合、又は給水ユニット７０の給水量が変化する場合など、システム制御ユニット６０は、比例弁の制御量及びガス給湯器の初期出力電力所定値を再取得し、上記ステップに従って、ガス給湯器を制御する。
【００４７】
本発明の実施例において、ガス給湯器は、強制排気式ガス給湯器であってもよく、ここでは、具体的に限定しない。
【００４８】
本発明の実施例のガス給湯器の安全制御システムによれば、まず、電力取得ユニットによって排気ファンの出力電力所定値を取得し、サンプリング比較プログラムを実行し、回転速度差分取得ユニットによって出力電力所定値に基づいて、対応する回転速度の実際値を取得し、排気ファンの回転速度の実際値と回転速度の基準値との差分を算出し、排風制御ユニットが、排気ファンの回転速度の実際値と回転速度の基準値との差分に基づいて、排気ファンの予め設定された吹出口風圧グラフを補正し、その後、排風制御ユニットが、排気ファンの回転速度、補正された吹出口風圧グラフ及び排気ファンの出力電力所定値に基づいて、排気ファンの吹出口の風圧状況を判断し、排気ファンの吹出口の風圧状況に基づいて、排気ファンの出力電力所定値を調節し、これにより、排気ファンの風量の調節を実現し、ガス給湯器の運転中に、導入された燃料ガスと空気とが混合した後、良好な燃焼条件に達せることを確保し、ガス給湯器の安全かつ確実な運転を保証する。また、排気ファンの出力電力所定値に対する直接な調節は、能動的な制御であり、排気ファンの回転速度に対する受動的な制御と比較すると、応答速度が速いだけではなく、比較的正確な風量を提供することもでき、制御精度が向上する。
【００４９】
図６は、本発明の実施例に係るガス給湯器の安全制御方法のフローチャートである。図６に示すように、当該ガス給湯器の安全制御方法は、排気ファンの出力電力所定値と、出力電力所定値に対応する排気ファンの回転速度の基準値とを取得するステップＳ１と、排気ファンの出力電力所定値に基づいて、排気ファンの回転速度の実際値を取得し、回転速度の実際値と排気ファンの回転速度の基準値との差分を算出するステップＳ２と、差分に基づいて、排気ファンの予め設定された吹出口風圧グラフを補正し、前記予め設定された吹出口風圧グラフが前記出力電力所定値と複数の予め設定された回転速度との関係グラフであるステップＳ３と、ガス給湯器における排気ファンの回転速度を検出するステップＳ４と、排気ファンの回転速度、補正された吹出口風圧グラフ及び排気ファンの出力電力所定値に基づいて、排気ファンの吹出口の風圧状況を判断し、排気ファンの吹出口の風圧状況に基づいて、排気ファンの出力電力所定値を調節するステップＳ５と、を含む。
【００５０】
具体的には、ガス給湯器の初回作動中に、まず、排気ファンの電力出力の所定値と、対応する回転速度の基準値とを取得し、基準条件で、サンプリング比較プログラムを実行し、すなわち、排気ファンの電力出力の所定値に基づいて、対応する回転速度の実際値を取得し、回転速度の実際値と回転速度の基準値との差分を算出し、回転速度の実際値と回転速度の基準値との差分に基づいて、排気ファンの予め設定された吹出口風圧グラフを補正し、当該予め設定された吹出口風圧グラフは、出力電力所定値と複数の予め設定された回転速度（例えば、３つの予め設定された回転速度）との関係グラフである。ガス給湯器の今回又は以降の作動中に、排気ファンの回転速度をリアルタイムで検出し、補正された吹出口風圧グラフ及び排気ファンの現在の出力電力所定値に基づいて、排気ファンの吹出口の風圧状況を判断し、その後、吹出口の風圧状況に基づいて、排気ファンの出力電力所定値を調節し、これにより、排気ファンの風量の調節を実現し、ガス給湯器の運転中に、導入された燃料ガスと空気とが混合した後、良好な燃焼条件に達せることを確保し、ガス給湯器の安全かつ確実な運転を保証する。また、排気ファンの出力電力所定値に対する直接な調節は、能動的な制御であり、排気ファンの回転速度に対する受動的な制御と比較すると、応答速度が速いだけではなく、比較的正確な風量を提供することもでき、制御精度が向上する。
【００５１】
本発明の一実施例において、回転速度の実際値と回転速度の基準値との差分に基づいて、排気ファンの予め設定された吹出口風圧グラフを補正するとき、補正された吹出口風圧グラフは、出力電力所定値と、複数の予め設定された回転速度と上記差分との合計との関係グラフである。
【００５２】
さらに、排気ファンの回転速度、補正された吹出口風圧グラフ、及び排気ファンの出力電力所定値に基づいて、排気ファンの吹出口の風圧状況を判断し、排気ファンの吹出口の風圧状況に基づいて、排気ファンの出力電力所定値を調節するステップは、排気ファンの吹出口の風圧状況が低風圧状況であると判断された場合、排気ファンの出力電力所定値を第１の所定値だけ低減するように制御するステップと、排気ファンの吹出口の風圧状況が中風圧状況であると判断された場合、排気ファンの出力電力所定値をそのまま維持するように制御するステップと、排気ファンの吹出口の風圧状況が高風圧状況であると判断された場合、排気ファンの出力電力所定値を第２の所定値だけ増加するように制御するステップと、を含む。
【００５３】
具体的には、図２に示すように、排気ファンのある出力電力所定値において、排気ファンの回転速度Ｒが第１のグラフＲ１＋ｄｎの下方（領域Ｉ）に位置する場合、排気ファンの吹出口の風圧が比較的低いことを表し、この場合、排気ファンの出力電力を低減するために、排気ファンの出力電力所定値を第１の所定値だけ低減するように制御し、すなわち、出力電力所定値Ｐ＝Ｐ−△Ｐ１となる。排気ファンの回転速度Ｒが第１のグラフＲ１＋ｄｎの上方に位置し、かつ、第２のグラフＲ２＋ｄｎの下方に位置する（領域ＩＩ）場合、排気ファンの吹出口の風圧と排気ファンの回転速度とが比較的釣り合っていることを表し、風圧が増加するとき、排気ファンの物理的特性によって排気ファンが自然に回転速度を上げるので、排気ファンの出力電力所定値を調節する必要がない。排気ファンの回転速度Ｒが第２のグラフＲ２＋ｄｎの上方に位置し、かつ、第３のグラフＲ３＋ｄｎの下方（領域ＩＩＩ）に位置する場合、排気ファンの吹出口の風圧が比較的高いことを表し、この場合、排気ファンの出力電力を上げるために、排気ファンの出力電力所定値を第２の所定値だけ増加するように制御し、すなわち、出力電力所定値Ｐ＝Ｐ＋△Ｐ２となる。ｄｎは、排気ファンの回転速度の実際値と回転速度の基準値との差分であり、ガス給湯器が量産されるとき、排気ファンの部品及びシステム全体に若干の性能上の差異が存在し、当該差異は、ガス給湯器制御の正確性に影響する可能性があるので、排気ファンの回転速度の実際値と回転速度の基準値との差分によって、排気ファン回転速度グラフ（すなわち、吹出口風圧グラフ）を差異補正することができる。
【００５４】
つまり、排気ファンの出力電力所定値がＰ１である場合、検出された排気ファンの回転速度がＲ＜Ｃであると、排気ファンの出力電力所定値をＰ１−△Ｐ１に調整する。Ｃ≦Ｒ＜Ｂであると、排気ファンの出力電力所定値を、Ｐ１であるように維持する。Ｂ≦Ｒ＜Ａであると、排気ファンの出力電力所定値をＰ１＋△Ｐ２に調整して、排気ファンの風量に対する能動的な制御を実現し、排気ファンの風量と吹出口の風圧とが迅速に均衡に達せることを保証し、ガス給湯器が良好な燃焼条件を有することを保証する。
【００５５】
なお、図２に示される出力電力所定値と第１のグラフＲ１＋ｄｎ、第２のグラフＲ２＋ｄｎ及び第３のグラフＲ３＋ｄｎとの関係は、すなわち、補正された吹出口風圧グラフであり、Ｒ１、Ｒ２、Ｒ３は、３つの予め設定された回転速度であり、Ｒ１、Ｒ２、Ｒ３は、いずれも排気ファンの吹出口の風圧状況を判断するための予め設定され、記憶された回転速度値である。
【００５６】
なお、ガス給湯器が初回作動するときのみ、排気ファンの予め設定された吹出口風圧グラフを補正することができ、これにより、ガス給湯器の安全制御時間を減少し、エネルギー消費を低減することができる。
【００５７】
さらに、排気ファンの回転速度、補正された吹出口風圧グラフ、及び排気ファンの出力電力所定値に基づいて、排気ファンの吹出口の風圧状況を判断し、排気ファンの吹出口の風圧状況に基づいて、排気ファンの出力電力所定値を調節するステップは、排気ファンの吹出口の風圧状況が最高風圧状況であると判断された場合、又は排気ファンの回転速度が回転速度閾値より高い場合、ガス給湯器を停止するように制御するステップをさらに含む。
【００５８】
具体的には、図２に示すように、排気ファンのある出力電力所定値において、排気ファンの回転速度Ｒが第３のグラフＲ３＋ｄｎの上方（領域ＩＶ）に位置する場合、排気ファンの吹出口の風圧が高すぎることを表し、この場合、ガス給湯器を停止するように制御する必要がある。例えば、排気ファンの出力電力所定値がＰ１であるとき、排気ファンの回転速度がＲ≧Ａの場合、ガス給湯器を停止するように制御し、又は、現在の的排気ファンの回転速度が設定された回転速度閾値（上限回転速度）より高い場合、ガス給湯器を停止するように制御して、ガス給湯器の安全性を効果的に保証する。
【００５９】
本発明の一実施例によれば、上記ガス給湯器の安全制御方法は、ガス給湯器の給水量、ガス給湯器の給湯設定温度及びガス給湯器の冷水温度を取得するステップと、給水量、給湯設定温度及び冷水温度に基づいて、ガス給湯器が必要とする総熱量を算出し、ガス給湯器が必要とする総熱量に基づいて、電流制御命令と、排気ファンの初期出力電力所定値とを取得するステップと、電流制御命令に基づいて、ガス給湯器における燃料ガスユニットの比例弁を制御することにより、燃焼制御を行うステップと、をさらに含む。
【００６０】
具体的には、ガス給湯器が通電されて作動した後、まず、ユーザによって設定されたガス給湯器の給湯設定温度、給水量及び冷水温度に基づいて、ガス給湯器が冷水を給湯設定温度に加熱するのに要する総熱量を算出し、その後、図４に示すように、ガス給湯器が必要とする総熱量に基づいて、初期出力電力所定値として、燃料ガスユニットにおける比例弁の制御量（すなわち、電流制御命令）と、排気ファンの出力電力所定値とを取得する。最後、取得された比例弁の制御量に基づいて、比例弁を制御することにより、燃料ガスユニットを制御し、初期出力電力所定値に基づいて排気ファンを制御する。
【００６１】
排気ファンの回転速度をリアルタイムで検出して判断する。初期出力電力所定値Ｐ初期において、検出された排気ファンの回転速度が図２に示すような補正された吹出口風圧グラフの領域Ｉに位置する場合、排気ファンの出力電力所定値Ｐ＝Ｐ初期−△Ｐ１となる。検出された排気ファンの回転速度が領域ＩＩに位置する場合、排気ファンの出力電力所定値Ｐ＝Ｐ初期となる。検出された排気ファンの回転速度が領域ＩＩＩに位置する場合、排気ファンの出力電力所定値Ｐ＝Ｐ初期＋△Ｐ２となる。ある出力電力所定値において、排気ファンの回転速度が領域ＩＶに位置するか、又は排気ファンの回転速度が回転速度閾値より高いか、又はユーザ制御停止命令を受信し、ガス給湯器を停止するように制御するまで、上記ステップを繰り返していく。
【００６２】
ガス給湯器の運転中に、給湯設定温度が変更される場合、又は給水量が変化する場合など、比例弁の制御量及びガス給湯器の初期出力電力所定値を再取得し、上記ステップに従って、ガス給湯器を制御する。
【００６３】
本発明の実施例のガス給湯器の安全制御方法によれば、まず、排気ファンの出力電力所定値と、対応する排気ファンの回転速度の基準値とを取得し、排気ファンの出力電力所定値に基づいて、排気ファンの回転速度の実際値を取得し、回転速度の実際値と回転速度の基準値との差分を算出し、当該差分に基づいて、排気ファンの予め設定された吹出口風圧グラフを補正し、その後、排気ファンの回転速度を検出し、排気ファンの回転速度、補正された吹出口風圧グラフ及び排気ファンの出力電力所定値に基づいて、排気ファンの吹出口の風圧状況を判断し、排気ファンの吹出口の風圧状況に基づいて、排気ファンの出力電力所定値を調節し、これにより、排気ファンの風量の調節を実現し、ガス給湯器の運転中に、導入された燃料ガスと空気とが混合した後、良好な燃焼条件に達せることを確保し、ガス給湯器の安全かつ確実な運転を保証する。また、排気ファンの出力電力所定値に対する直接な調節は、能動的な制御であり、排気ファンの回転速度に対する受動的な制御と比較すると、応答速度が速いだけではなく、比較的正確な風量を提供することもでき、制御精度が向上する。
【００６４】
また、本発明の実施例は、上記ガス給湯器の安全制御システムを含むガス給湯器をさらに提供する。
【００６５】
本発明の実施例のガス給湯器は、上記安全制御システムによって、排気ファンの回転速度の実際値と回転速度の基準値との差分に基づいて、排気ファンの予め設定された吹出口風圧グラフを補正することができ、排気ファンの回転速度、補正された吹出口風圧グラフ及び排気ファンの出力電力所定値に基づいて、排気ファンの吹出口の風圧状況を判断し、排気ファンの吹出口の風圧状況に基づいて、排気ファンの出力電力所定値を調節し、これにより、排気ファンの風量の調節を実現し、ガス給湯器の運転中に、導入された燃料ガスと空気とが混合した後、良好な燃焼条件に達せることを確保し、ガス給湯器の安全かつ確実な運転を保証する。また、排気ファンの出力電力所定値に対する直接な調節は、能動的な制御であり、排気ファンの回転速度に対する受動的な制御と比較すると、応答速度が速いだけではなく、比較的正確な風量を提供することもでき、制御精度が向上する。
【００６６】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「反時計回り」、「軸方向」、「径方向」、「周方向」などの用語が示す方位または位置関係は、図面に示す方位または位置関係に基づき、本発明を便利にまたは簡単に説明するためのものであり、指定された装置または部品が特定の方位にあり、特定の方位において構造され操作されると指示または暗示するものではないので、本発明を限定するものと理解してはいけない。
【００６７】
なお、「第１」、「第２」の用語は、単に説明する目的のものであり、比較的な重要性を指示または暗示するか、或いは示された技術的特徴の数を黙示的に指示すると理解してはいけない。よって、「第１」、「第２」と限定されている特徴は少なくとも１つの前記特徴を含むことを明示または暗示するものである。本発明の説明において、明確且つ具体的な限定がない限り、「複数」とは、少なくとも２つ、例えば、２つ、３つなどを意味する。
【００６８】
本発明において、明確な規定と限定がない限り、「取り付ける」、「互いに接続する」、「接続する」、「固定する」などの用語の意味は広義に理解されるべきである。例えば、固定接続や、着脱可能な接続や、或いは一体的な接続でも可能である。機械的な接続や、電気的な接続も可能である。直接的に接続することや、中間媒体を介して間接的に接続することや、２つの部品の内部が連通することや、あるいは２つの部品に相互の作用関係があることも可能である。当業者にとって、具体的な場合により上記用語の本発明においての具体的な意味を理解することができる。
【００６９】
本発明において、明確な規定と限定がない限り、第１特徴が第２特徴の「上」または「下」にあることは、第１特徴と第２特徴とが直接的に接触することを含んでも良いし、または第１特徴と第２特徴とが中間媒体を介して間接に接触することを含んでもよい。また、第１特徴が第２特徴の「上」、「上方」または「以上」にあることは、第１特徴が第２特徴の真上または斜め上にあることを含むか、或いは、単に第１特徴の水平高さが第２特徴より高いことだけを表す。第１特徴が第２特徴の「下」、「下方」または「以下」にあることは、第１特徴が第２特徴の真下または斜め下にあることを含むか、或いは、単に第１特徴の水平高さが第２特徴より低いことだけを表す。
【００７０】
本発明の説明において、「一実施例」、「一部の実施例」、「例」、「具体的な例」、或いは「一部の例」などの用語を参照した説明は、該実施例或いは例に合わせて説明された具体的な特徴、構成、材料或いは特性が、本発明の少なくとも１つの実施例或いは例に含まれることを意味する。本明細書において、上記用語に対する例示的な説明は、必ずしも同じ実施例或いは例を指すことではない。また、説明された具体的な特徴、構成、材料或いは特性は、いずれか１つ或いは複数の実施例または例において適切に結合することができる。なお、相互に矛盾しない限り、当業者は、本明細書において説明された異なる実施例又は例、及び異なる実施例又は例の特徴を結合し、組み合わせることができる。
【００７１】
以上、本発明の実施例を示して説明したが、上記実施例は、例示的なものであり、本発明を限定するものと理解してはいけない。当業者は、本発明の範囲内に、上記実施例に対して変化、補正、置換及び変形を行うことができる。
【符号の説明】
【００７２】
１０  排気ファン
２０  回転速度検出ユニット
３０  回転速度検出ユニット
４０  回転速度差分取得ユニット
５０  システム制御ユニット
６０  システム制御ユニット
７０  給水ユニット
８０  燃料ガスユニット
【図１】
2019529852.tif 000003
【図２】
2019529852.tif 000004
【図３】
2019529852.tif 000005
【図４】
2019529852.tif 000006
【図５】
2019529852.tif 000007
【図６】
2019529852.tif 000008
【国際調査報告】
2019529852.tif 000009
2019529852.tif 000010
2019529852.tif 000011
2019529852.tif 000012
2019529852.tif 000013
2019529852.tif 000014